(57)【要約】【課題】配線の取出口を閉塞する閉塞部の紛失を無くし、配線が取り出された取出口の閉塞部の保管を不要にすることができると共に、配線の取出口から閉塞部が外れることが防止することができる二重床構造を提供する。【解決手段】基礎床面上で複数の床パネルを所定高さに支持して形成される二重床構造であって、複数の床パネルより下の第１の空間と、複数の床パネルより上の第２の空間とを連通する配線引出凹部５４を、複数の床パネルの内の一つである配線引出パネル５０に形成し、配線引出パネル５０に隣接する閉塞パネル６０に、配線引出パネル５０の配線引出凹部５４を閉塞可能な閉塞部６４を一体的に設け、配線引出パネル５０若しくは閉塞パネル６０の少なくとも一方を回転し方向変更して配置することにより、配線引出凹部５４を閉塞部６４により開閉可能とする。【選択図】図４
2010024784.tif 000002
【特許請求の範囲】
【請求項１】
基礎床面上で複数の床パネルを所定高さに支持して形成される二重床構造であって、
前記複数の床パネルより下の第１の空間と、前記複数の床パネルより上の第２の空間とを連通する連通部を、前記複数の床パネルの内の少なくとも一つである第１の床パネルに形成し、
前記第１の床パネルに隣接する第２の床パネルに、前記第１の床パネルの前記連通部を閉塞可能な閉塞部を一体的に設け、
前記第１の床パネル若しくは前記第２の床パネルの少なくとも一方を回転し方向変更して配置することにより、前記連通部を前記閉塞部により開閉可能とすることを特徴とする二重床構造。
【請求項２】
基礎床面上で複数の床パネルを所定高さに支持して形成される二重床構造であって、  
前記複数の床パネルより下の第１の空間と、前記複数の床パネルより上の第２の空間とを連通する連通部を、前記複数の床パネルの内の少なくとも一つである第１の床パネルの平面視略方形の本体の一辺に凹状に形成し、
前記第１の床パネルに隣接する第２の床パネルに、前記第１の床パネルの前記連通部を閉塞可能な閉塞部を、前記第２の床パネルの平面視略方形の本体の一辺から外方に突出して一体的に設け、
前記第２の床パネルの前記閉塞部を前記第１の床パネルの前記連通部上に配置して前記連通部を閉塞し、
前記第２の床パネルを回転し方向変更して配置することにより、前記第２の床パネルの前記閉塞部を前記第２の床パネルと隣接する第３の床パネル上に配置して前記連通部を開放することを特徴とする二重床構造。
【請求項３】
基礎床面上で複数の床パネルを所定高さに支持して形成される二重床構造であって、
前記複数の床パネルより下の第１の空間と、前記複数の床パネルより上の第２の空間とを連通する連通部を、前記複数の床パネルの内の少なくとも一つである第１の床パネルの平面視略方形の本体の一辺に凹状に形成し、
前記第１の床パネルに隣接する第２の床パネルに、前記第１の床パネルの前記連通部を閉塞可能な閉塞部を、前記第２の床パネルの平面視略方形の本体の一辺から外方に突出して一体的に設け、
前記第２の床パネルの前記閉塞部を前記第１の床パネルの前記連通部上に配置して前記連通部を閉塞し、
前記第１の床パネルを回転し方向変更して配置することにより、前記第２の床パネルの前記閉塞部が前記第１の床パネルの前記連通部を有しない箇所上となるようにして前記連通部を開放することを特徴とする二重床構造。
【請求項４】
前記第１の床パネル若しくは前記第２の床パネルに係合部を設け、
前記第１の床パネル若しくは前記第２の床パネルを支持する支持箇所に被係合部を設け、
前記第１の床パネル若しくは前記第２の床パネルの回転による方向変更前の状態と方向変更後の状態の双方で、前記係合部が前記被係合部に係合することを特徴とする請求項１記載の二重床構造。
【請求項５】
前記第２の床パネルの本体を平面視略方形とし、
前記第２の床パネルの本体の一辺に前記閉塞部を設け、
前記閉塞部の少なくとも基部を前記第２の床パネルの本体の一辺の長さと略同一幅とすることを特徴とする請求項１〜４の何れかに記載の二重床構造。
【請求項６】
前記閉塞部を、前記第２の床パネルの本体の上面に固着する１ｍｍ以下の厚さの平板部材とすることを特徴とする請求項１〜５の何れかに記載の二重床構造。
【請求項７】
前記閉塞部に、下方に突出する位置規制部を設け、
前記位置規制部により前記第１の床パネルと前記第２の床パネルとの設置位置を規制することを特徴とする請求項１〜６の何れかに記載の二重床構造。
【請求項８】
前記閉塞部を、先端に向かって漸次下方となるように屈曲することを特徴とする請求項１〜７の何れかに記載の二重床構造。
【請求項９】
請求項１〜８の何れかに記載の二重床構造を、前記基礎床面に複数敷設することを特徴とする二重床設備。
【請求項１０】
基礎床面上で所定高さに支持される二重床構造の床パネルであって、
本体を平面視略方形に形成し、
前記別の床パネルの連通部を閉塞する閉塞部を、前記本体の少なくとも一辺から外方に突出して設け、
回転し方向変更して配置することにより、前記別の床パネルの前記連通部を前記閉塞部で開閉可能であることを特徴とする床パネル。
【発明の詳細な説明】
【技術分野】
【０００１】
本発明は、基礎床面上で複数の床パネルを所定高さに支持して形成する二重床構造、及び二重床構造を複数敷設する二重床設備、並びに床パネルに関する。
【背景技術】
【０００２】
基礎床面上で複数の床パネルを所定高さに支持して二重床を形成する二重床構造が知られている。二重床構造には、床パネルの下の空間に設置される配線を床パネルの上に取り出すための取出口が設けられるのが通常であり、例えば床パネルを、開口部を有するベース部と、開口部に対して着脱可能に設けられる別体の蓋部とで構成し、蓋部を取った開口部を配線の取出口とするものがある（特許文献１参照）。
【０００３】
【特許文献１】実開平４−８７９５６号公報
【発明の開示】
【発明が解決しようとする課題】
【０００４】
ところで、特許文献１の床パネルは、開口部を別体の蓋部で閉塞するものであるため、蓋部を開けて開口部から配線の引き出し作業中に蓋部を紛失する事態を生じ、又、配線の引き出しに使用した開口部の蓋部を保管しておく必要も生ずる。また、蓋部は床パネルに比して軽量であるため、二重床上の歩行の振動や地震等で負荷がかかり、蓋部が開口部から外れることもあるが、蓋部が外れると、ハイヒールの踵が開口部に落ち込んだり、床パネル下の配線路空間に粉塵が入り込んでしまうという問題を生ずる。
【０００５】
本発明は上記課題に鑑み提案するものであって、配線の取出口を閉塞する閉塞部の紛失を無くし、配線が取り出された取出口の閉塞部の保管を不要にすることができると共に、配線の取出口から閉塞部が外れることを防止することができる二重床構造、及び二重床設備、並びに床パネルを提供することを目的とする。
【課題を解決するための手段】
【０００６】
本発明の二重床構造は、基礎床面上で複数の床パネルを所定高さに支持して形成される二重床構造であって、前記複数の床パネルより下の第１の空間と、前記複数の床パネルより上の第２の空間とを連通する連通部を、前記複数の床パネルの内の少なくとも一つである第１の床パネルに形成し、前記第１の床パネルに隣接する第２の床パネルに、前記第１の床パネルの前記連通部を閉塞可能な閉塞部を一体的に設け、前記第１の床パネル若しくは前記第２の床パネルの少なくとも一方を回転し方向変更して配置することにより、前記連通部を前記閉塞部により開閉可能とすることを特徴とする。また、前記第１の床パネルの本体を平面視略方形とし、前記連通部として、前記第１の床パネルの本体の少なくとも一辺に、直径１５ｍｍ以上の配線を連通可能な配線引出凹部を形成すると好適である。また、前記第２の床パネルの本体を平面視略方形とし、前記閉塞部として、前記第２の床パネルの本体の少なくとも一辺に、外方に突出する閉塞部を設け、前記閉塞部の下端を前記第２の床パネルの本体の上端と略同一高さとすると好適である。また、前記第１の床パネルの前記連通部と前記第２の床パネルの前記閉塞部が重なる領域において、前記第２の床パネルの前記閉塞部の幅を前記連通部の幅よりも広くすると好適である。
【０００７】
また、本発明の二重床構造は、基礎床面上で複数の床パネルを所定高さに支持して形成される二重床構造であって、前記複数の床パネルより下の第１の空間と、前記複数の床パネルより上の第２の空間とを連通する連通部を、前記複数の床パネルの内の少なくとも一つである第１の床パネルの平面視略方形の本体の一辺に凹状に形成し、前記第１の床パネルに隣接する第２の床パネルに、前記第１の床パネルの前記連通部を閉塞可能な閉塞部を、前記第２の床パネルの平面視略方形の本体の一辺から外方に突出して一体的に設け、前記第２の床パネルの前記閉塞部を前記第１の床パネルの前記連通部上に配置して前記連通部を閉塞し、前記第２の床パネルを回転し方向変更して配置することにより、前記第２の床パネルの前記閉塞部を前記第２の床パネルと隣接する第３の床パネル上に配置して前記連通部を開放することを特徴とする。
【０００８】
また、本発明の二重床構造は、基礎床面上で複数の床パネルを所定高さに支持して形成される二重床構造であって、前記複数の床パネルより下の第１の空間と、前記複数の床パネルより上の第２の空間とを連通する連通部を、前記複数の床パネルの内の少なくとも一つである第１の床パネルの平面視略方形の本体の一辺に凹状に形成し、前記第１の床パネルに隣接する第２の床パネルに、前記第１の床パネルの前記連通部を閉塞可能な閉塞部を、前記第２の床パネルの平面視略方形の本体の一辺から外方に突出して一体的に設け、前記第２の床パネルの前記閉塞部を前記第１の床パネルの前記連通部上に配置して前記連通部を閉塞し、前記第１の床パネルを回転し方向変更して配置することにより、前記第２の床パネルの前記閉塞部が前記第１の床パネルの前記連通部を有しない箇所上となるようにして前記連通部を開放することを特徴とする。
【０００９】
また、本発明の二重床構造は、前記第１の床パネル若しくは前記第２の床パネルに係合部を設け、前記第１の床パネル若しくは前記第２の床パネルを支持する支持箇所に被係合部を設け、前記第１の床パネル若しくは前記第２の床パネルの回転による方向変更前の状態と方向変更後の状態の双方で、前記係合部が前記被係合部に係合することを特徴とする。
【００１０】
また、本発明の二重床構造は、前記第２の床パネルの本体を平面視略方形とし、前記第２の床パネルの本体の一辺に前記閉塞部を設け、前記閉塞部の少なくとも基部を前記第２の床パネルの本体の一辺の長さと略同一幅とすることを特徴とする。
【００１１】
また、本発明の二重床構造は、前記閉塞部を、前記第２の床パネルの本体の上面に固着する１ｍｍ以下の厚さの平板部材とすることを特徴とする。
【００１２】
また、本発明の二重床構造は、前記閉塞部に、下方に突出する位置規制部を設け、前記位置規制部により前記第１の床パネルと前記第２の床パネルとの設置位置を規制することを特徴とする。
【００１３】
また、本発明の二重床構造は、前記閉塞部を、先端に向かって漸次下方となるように屈曲することを特徴とする。
【００１４】
また、本発明の二重床設備は、本発明の二重床構造を、前記基礎床面に複数敷設することを特徴とする。
【００１５】
また、本発明の床パネルは、基礎床面上で所定高さに支持される二重床構造の床パネルであって、本体を平面視略方形に形成し、前記別の床パネルの連通部を閉塞する閉塞部を、前記本体の少なくとも一辺から外方に突出して設け、
回転し方向変更して配置することにより、前記別の床パネルの前記連通部を前記閉塞部で開閉可能であることを特徴とする。
【発明の効果】
【００１６】
本発明は、第１の床パネルに連通部を設け、第１の床パネルに隣接する第２の床パネルに閉塞部を一体的に設け、第１の床パネル若しくは第２の床パネルの少なくとも一方を回転し方向変更して配置することにより、連通部を閉塞部により開閉可能とし、配線引出を行う場合には連通部を連通して配線を引き出し、配線引出を行わない場合には閉塞部で連通部を閉塞することが可能であり、前記構成により、(1)閉塞部が紛失する事態を無くすことができると共に、(2)配線取出口として用いられている連通部に対応する別体の閉塞部の保管を不要にすることができる。また、閉塞部を第２の床パネルに一体的に設けることにより、(3)閉塞部の設置の安定性を高め、配線取出口として用いられている連通部から閉塞部が外れることを防止することができる。従って、連通部の意図しない開放で、ハイヒールの踵が連通部に落ち込んだり、連通部から床パネル下の配線路空間に粉塵が入り込んでしまうことを防止することができる。
【００１７】
また、通常の使用状態においても未使用の連通部を閉塞部で閉塞することが可能であるから、(4)通常の使用状態においてもハイヒールの踵の径に関わらず、ハイヒールの踵の落ち込みを確実に防止することができると共に、(5)通常の使用状態においても粉塵等が床パネル下の配線路空間に入り込むことを防止することができる。また、第１の床パネル側に連通部を設け、第２の床パネル側に閉塞部を設けることから、(6)連通部の大きさを自在に設定することが可能となり、多数の配線を一箇所から引き出すこともできる、(7)構造を簡単にし、安価に製造することができる、という効果も奏する。
【００１８】
また、第１の床パネル若しくは第２の床パネルに係合部を設け、第１の床パネル若しくは第２の床パネルを支持する支持箇所とに被係合部を設け、第１の床パネル若しくは第２の床パネルの回転による方向変更前の状態と方向変更後の状態の双方で、係合部が被係合部に係合する構成により、方向変更前後の床パネルの設置の安定性を高めることができる。
【００１９】
また、第２の床パネルの本体を平面視略方形とし、第２の床パネルの本体の一辺に閉塞部を設け、閉塞部の少なくとも基部を第２の床パネルの本体の一辺の長さと略同一幅とすることにより、連通部や閉塞部にかかる荷重を分散して支持することができ、閉塞部の変形等を防止することができる。
【００２０】
また、閉塞部を、第２の床パネルの本体の上面に固着する１ｍｍ以下の厚さの平板部材とすることにより、二重床上の段差を極力少なくし、二重床上に載置又は貼設されるカーペット等の仕上材に段差による後残りを生じさせず、床面の美観を高めることができると共に、敷設面の不陸で第１の床パネルと第２の床パネルとの間に段差や角度のズレが生じた場合に、閉塞部の変形で追従することが可能となる。
【００２１】
また、閉塞部に、下方に突出する位置規制部を設け、位置規制部により第１の床パネルと第２の床パネルとの設置位置を規制することにより、第１の床パネルと第２の床パネルの設置位置を安定させることができる。
【００２２】
また、閉塞部を、先端に向かって漸次下方となるように屈曲することにより、敷設面に不陸があった場合等に閉塞部が変形して浮いた状態となることを防止することが可能となり、閉塞部が施工時の障害となったり、歩行時に音鳴りすること等を防止することができる。
【発明を実施するための最良の形態】
【００２３】
以下では、本発明の具体的な実施形態について説明する。
【００２４】
〔第１実施形態の二重床構造及びその二重床設備〕
第１実施形態の二重床構造は、図１〜図５に各構成を示す配線溝型の二重床構造であり、図示例では複数の二重床構造が基礎床面に敷設される二重床設備として示されている。第１実施形態の二重床構造は、図１に示すように、基礎床面に敷設される平面視略矩形のベースマット１０を有し、図示例では複数のベースマット１０が隣接して縦横に配設された二重床設備になっている。ベースマット１０には平面視略矩形の複数のブロック部１１〜１３が上方に突出して設けられており、複数のブロック部１１〜１３は、ベースマット１０の略中央に設けられている平面視略正方形の大ブロック部１１と、ベースマット１０の各辺の略中央に設けられ、平面視で大ブロック部１１の約１／２の大きさを有する中ブロック部１２と、ベースマット１０の四隅に設けられ、平面視で大ブロック部１１の約１／４の大きさ（中ブロック部１２の約１／２の大きさ）を有する小ブロック部１３とで構成される。
【００２５】
各ブロック部１１〜１３は所定間隔を開けて配置され、底面に沿って設けられている可撓性の連結部１４で連結されており、各ブロック１１〜１３の間には井桁状の配線溝１５が形成される。各ブロック部１１〜１３の周囲には上面よりも低くなっている段差部１６が形成され、段差部１６には、床パネルに相当する後述する各パネル２０、３０、４０、５０、６０の位置決め部を係合可能な凹部１７が形成されている。段差部１６には各パネル２０、３０、４０、５０、６０の位置決め部を凹部１７に係合して各パネル２０、３０、４０、５０、６０が載置され、配線溝１５が被覆されるようになっている。配線溝１５にパネル２０、３０、４０、５０、６０を設けることにより、パネル２０、３０、４０、５０、６０の上面とブロック部１１〜１３の上面とが略平面状となる二重床構造が構成され、パネル２０、３０、４０、５０、６０の下側の配線溝１５が配線路空間である第１の空間となり、パネル２０、３０、４０、５０、６０の上側及びブロック部１１〜１３の上側が第２の空間となる。
【００２６】
ベースマット１０は、樹脂の真空成形で一体的に形成されており、上方に突出する複数の凸部１８を下面が開放するようにして微小間隔で形成し、凸部１８の集合体で各ブロック部１１〜１３を構成している。凸部１８には開放している下方からコンクリートが充填される。各ブロック１１〜１３を微小間隔の凸部１８で構成し且つブロック部１１〜１３を可撓性の連結部１４で連結することにより、ベースマット１０は、基礎床面である敷設面の不陸に十分に追従することが可能となる。
【００２７】
また、図１の二重床構造或いは二重床構造が複数敷設された二重床設備は、配線溝１５の直線部を被覆して塞ぐ直線部パネル２０と、配線溝１５が交差する交差部を被覆して塞ぐ交差部パネル３０と、配線溝１５の直線部の端部等を被覆して塞ぐ半直線部パネル４０と、第１の床パネルに相当する配線引出パネル５０と、第２の床パネルに相当する閉塞パネル６０とを備える。
【００２８】
直線部パネル２０は、平面視略長方形であり、配線溝１５或いは配線路空間が延びる方向と平行に設置される辺である長辺２１と、配線溝１５或いは配線路空間が延びる方向と直交して設置される辺である短辺２２とを有し、その短辺２２には、配線を引き出すための配線引出凹部２３が形成されている。直線部パネル２０には、短辺２２と平行で下方に突出する突条のリブ２４が所定間隔を開けて４本形成され、強度の増加が図られている。更に、直線部パネル２０の長辺２１には位置決め部２５が下方に突出して湾曲するように形成されており、位置決め部２５をベースマット１０の直線部の凹部１７に係合し、直線部パネル２０を段差部１６・１６に架橋するようにして、直線部パネル２０を直線部の配線溝１５上に設置される。
【００２９】
交差部パネル３０は、平面視略正方形或いは平面視略十字形で、その四隅に配線路の交差部に合わせた切欠３１が形成された形状であると共に、その四隅に、直線部パネル２０と同様に、位置決め部３２が下方に突出して湾曲するように形成されている。交差部パネル３０は、位置決め部３２をベースマット１０の交差部の凹部１７に係合して交差部の段差部１６に載置され、交差部の配線溝１５上に設置される。更に、交差部パネル３０の略中央には、Ｘ字形で下方に突出する突条のリブ３３が形成され、強度の増加が図られている。
【００３０】
半直線部パネル４０は、直線部パネル２０の略半分の大きさである平面視略長方形である。半直線部パネル４０には、配線溝１５或いは配線路空間が延びる方向と直交する方向で下方に突出する突条のリブ４１が延設され、リブ４１は所定間隔を開けて２本形成され、強度の増加が図られている。更に、半直線部パネル４０には、配線溝１５或いは配線路空間が延びる方向と平行となる各辺に位置決め部４２がそれぞれ設けられ、位置決め部４２は下方に突出して湾曲するように形成されている。半直線部パネル４０は、位置決め部４２をベースマット１０の端部の直線部等の凹部１７に係合して段差部１６・１６に架橋するようにし、端部の直線部等の配線溝１５上に設置される。尚、隣り合うベースマット１０・１０の端部の配線溝１５・１５を接続して構成される直線部には、直線部パネル２０を架橋して設けてもよいし、半直線部パネル４０を２つ設けてもよい。
【００３１】
第１の床パネルに相当する配線引出パネル５０は、図１及び図２に示すように、半直線部パネル４０と略同一形状の本体５１を有し、半直線部パネル４０と同様に、本体５１に突条のリブ５２と位置決め部５３が形成され、床パネルの位置決めの係合部と被係合部の係合である、位置決め部５３の凹部１７への係合により、配線溝１５或いは配線路空間の直線部に設置される。位置決め部５３は、配線溝１５或いは配線路空間が延びる方向と平行に設置される各辺の中央に設けられており、配線引出パネル５０は、１８０度回転して反対方向にした向きでも、位置決め部５３を凹部１７に係合して同一の位置に設置可能である。尚、位置決め部５３と位置決め部５３が係合する直線部の凹部１７は、配線引出パネル５０の中心と中心とする点対称の位置に設ける等、１８０度回転して反対方向にした向きでも、位置決め部５３を凹部１７に係合して同一の位置に設置可能な構成であれば適宜である。配線引出パネル５０の本体５１には、配線溝１５或いは配線路空間が延びる方向と直交する方向に設置される一辺に、連通部に相当する配線引出凹部５４が形成されており、配線引出凹部５４は直線部パネル２０の配線引出凹部２３よりも大きく形成された大配線引出凹部となっている。配線引出凹部５４は直径１５ｍｍ以上の配線を挿通可能なものとすることが好ましい。また、直径２０ｍｍ以上の配線を挿通可能なものとするとより好適であり、情報線等、殆どの配線を引き出し可能となる。
【００３２】
第２の床パネルに相当する閉塞パネル６０は、図１及び図３に示すように、半直線部パネル４０と略同一形状の本体６１を有し、半直線部パネル４０と同様に、本体６１に突条のリブ６２と位置決め部６３が形成され、位置決め部６３を凹部１７に係合して、配線溝１５或いは配線路空間の直線部に配線引出パネル５０と対応して設置される。位置決め部６３は、配線溝１５或いは配線路空間が延びる方向と平行に設置される各辺の中央に設けられており、閉塞パネル６０は、１８０度回転して反対方向にした向きでも、位置決め部６３を凹部１７に係合して同一の位置に設置可能である。尚、位置決め部６３と位置決め部６３が係合する直線部の凹部１７は、閉塞パネル６０の中心と中心とする点対称の位置に設ける等、１８０度回転して反対方向にした向きでも、位置決め部６３を凹部１７に係合して同一の位置に設置可能な構成であれば適宜である。
【００３３】
閉塞パネル６０の本体６１には、配線溝１５或いは配線路空間が延びる方向と直交する方向に設置される一辺から外方に突出する閉塞部６４が一体的に設けられている。閉塞部６４は、略円弧状の先端を有する略半円形の板状であり、その基部は閉塞パネル６０の一辺幅全体に亘る大きさであり、配線引出凹部５４と重なる領域では配線引出凹部５４よりも幅広に形成されている。閉塞部６４は、本体６１の上面に溶接或いは接着等により取り付けられ、閉塞部６４の下端或いは下面が本体６１の上端或いは上面と略同一高さとなっている。閉塞部６４を先端部から基部に向かって幅が広がる形状とし、その基部を閉塞パネル６０の一辺の長さ全体に亘る幅とする、或いは閉塞部６４を略矩形とし、その基部を閉塞パネル６０の一辺の長さ全体に亘る幅とする等、閉塞部６４の少なくとも基部を閉塞パネル６０の一辺幅全体に亘る大きさとすることにより、閉塞部６４或いは閉塞部６４で閉塞される配線引出凹部５４の中心に点荷重がかかった場合でも閉塞部６４が変形することを防止することができる。閉塞部６４には、位置規制部として下方へ切り倒される切倒片６４１が下方に突出して形成され、切倒片６４１は隣り合う配線引出パネル５０など他の床パネルと接触して設置位置を規制し、設置パネル相互の位置或いは間隔を保持可能である。
【００３４】
閉塞部６４は好適には０ｍｍ超１．０ｍｍ以下の厚みで形成すると好適であり、これにより、二重床上の段差を極力少なくし、二重床上に載置又は貼設されるカーペット等の仕上材に段差による後残りを生じさせず、床面の美観を高めることができると共に、敷設面の不陸で配線引出パネル５０と閉塞パネル６０との間に段差や角度のズレが生じた場合に、閉塞部６４の変形で追従することが可能となる。より好適には０．５ｍｍ以上０．７ｍｍ以下とすると前記効果をより確実に得ることができると共に、床パネルとして機能する閉塞部６４の強度を高めることができる。また、閉塞部６４の素材は、例えば鋼板、樹脂等適宜であり、カーペット等の仕上材を載置する、或いは歩行等の踏圧により、変形可能な程度で、且つ配線引出凹部を閉塞した状態で、閉塞部上に仕上材を載置し、その上からハイヒールの踵が落ち込まない程度の硬度を有するものが好ましく、又、ハイヒールの踵に体重が負荷された場合に配慮し、０．８ｋｇ／ｍｍ２以上の応力に耐えられるものとすることが好ましい。
【００３５】
配線引出パネル５０と閉塞パネル６０とを、二重床構造又は二重床設備の配線溝１５或いは配線路空間の直線部に設置する場合には、図４（ａ）に示すように、配線引出凹部５４と閉塞部６４とが向かい合い且つ閉塞部６４が配線引出凹部５４の上に重なるように配置し、位置決め部５３、６３を凹部１７にそれぞれ係合して配線引出パネル５０と閉塞パネル６０とを設置し、配線引出パネル５０の配線引出凹部５４を閉塞パネル６０の閉塞部６４で被覆して閉塞する。前記閉塞状態では、図５に示すように、閉塞部６４で配線引出凹部５４を閉塞すると同時に、配線引出凹部５４よりも大きい閉塞部６４が、配線引出凹部５０の周りの配線引出パネル５４の上面に所定量（配線引出凹部５４の外周縁から閉塞部６４の外周縁までの最短距離が３ｍｍ以上、好適には１０ｍｍ以上存在する程度の量）以上の領域で載置されるので、配線引出凹部５４にかかる荷重に対して、閉塞部６４を介して配線引出パネル５０及び閉塞パネル６０で支持し、高い強度で確実に支持することができる。
【００３６】
そして、配線路空間から大径の配線を引き出す、又は大量の配線を引き出す場合には、例えば図４（ｂ）に示すように、配線引出パネル５０を１８０度回転して、配線引出凹部５４を閉塞パネル６０の閉塞部６４の逆側に向け、交差部パネル３０側に位置するようにし、位置決め部５３、６３をそれぞれ凹部１７に係合して配線引出パネル５０と閉塞パネル６０とを設置する。前記設置状態では、配線引出凹部５４が閉塞部６４で閉塞されずに開放され、配線引出凹部５４が上面から目視できるようになり、交差部パネル３０と配線引出パネル５０の配線引出凹部５４により形成された開口から配線路空間の大径の配線或いは大量の配線を引き出すことが可能となる。
【００３７】
また、例えば図４（ｃ）に示すように、閉塞パネル６０を１８０度回転して、閉塞部６４を配線引出パネル５０の配線引出凹部５４の逆側に向け、交差部パネル３０側に位置するようにし、位置決め部６３をそれぞれ凹部１７に係合して閉塞パネル６０を設置する。前記設置状態では、閉塞部６４が交差部パネル３０上に載置され、配線引出凹部５４が閉塞部６４で閉塞されずに開放され、配線引出凹部５４が上面から目視できるようになり、閉塞パネル６０の閉塞部６４を有する辺と対向する辺と、配線引出パネル５０の配線引出凹部５４により形成された開口から配線路空間の大径の配線或いは大量の配線を引き出すことが可能となる。
【００３８】
また、例えば図４（ｄ）に示すように、配線引出パネル５０と閉塞パネル６０とを１８０度回転して、配線引出凹部５４と閉塞部６４とを互いに逆側にして外側に向け、配線引出凹部５４を交差部パネル３０側に位置し、閉塞部６４を別の交差部パネル３０側に位置するようにし、位置決め部５３、６３をそれぞれ凹部１７に係合して配線引出パネル５０と閉塞パネル６０とを設置する。前記設置状態では、配線引出凹部５４が閉塞部６４で閉塞されずに開放され、配線引出凹部５４が上面から目視できるようになり、交差部パネル３０と配線引出パネル５０の配線引出凹部５４により形成された開口から配線路空間の大径の配線或いは大量の配線を引き出すことが可能となる。
図４（ｂ）〜（ｃ）の状態から、例えば大径の配線或いは大量の配線の引き出し位置が変更になり、図４（ｂ）〜（ｃ）で開口している配線引出凹部５４から配線引出の必要が無くなった場合等は、配線引出凹部５４を塞ぐ必要が生ずるが、この場合は、上記と逆の動作を行って図４（ａ）の状態にすることにより、配線引出凹部５４を閉塞部６４により閉塞することができる。
【００３９】
尚、各パネル２０、３０、４０、５０、６０の裏面、特に各パネル２０、３０、４０、５０、６０の裏面の四隅近傍に緩衝材を貼設する、或いはベースマット１０上で各パネル２０、３０、４０、５０、６０が載置される箇所に緩衝材を貼設すると、各パネル２０、３０、４０、５０、６０上を歩く歩行者の歩行音を極力減らすことができると共に、歩行感を良好に保つことが可能となって好適である。前記緩衝材は、例えば不織布、ゴム、軟質部材など適宜である。
【００４０】
第１実施形態の二重床構造或いは二重床設備は、配線引出パネル５０に配線引出凹部５４を設け、配線引出パネル５０に隣接する閉塞パネル６０に閉塞部６４を一体的に設け、配線引出パネル５０若しくは閉塞パネル６０の一方を回転し方向変更して設置することにより、配線引出凹部５４を閉塞部６４により開閉可能な構成であり、前記構成により、(1)閉塞部６４が紛失する事態を無くすことができる、(2)配線取出口として用いられている配線引出凹部５４に対応する別体の閉塞部の保管を不要にすることができる、(3)閉塞部６４の設置の安定性を高め、配線取出口として用いられている配線引出凹部５４から閉塞部６４が外れることを防止できる。また、(4)未使用の配線引出凹部５４を閉塞部６４で閉塞することから、通常の使用状態においてもハイヒールの踵の径に関わらず、ハイヒールの踵の落ち込みを確実に防止することができる、(5)通常の使用状態においても粉塵等が床パネル下の配線路空間に入り込むことを防止することができる。また、(6)配線引出パネル５０側に配線引出凹部５４を設け、閉塞パネル６０側に閉塞部６４を設けることから、配線引出凹部５４の大きさを自在に設定することが可能となり、多数の配線や大きな配線を一箇所から引き出すこともできる、(7)構造を簡単にし、安価に製造することができる。
【００４１】
〔第２実施形態の二重床構造及びその二重床設備〕
次に、第２実施形態の二重床構造及びその二重床構造が複数敷設される二重床設備について、第１形態と異なる箇所の詳細を説明する。
【００４２】
第２実施形態の二重床構造は、図６及び図７に示すように、基礎床面に敷設されるベースユニット７０を有し、ベースユニット７０は、樹脂で成形され、所定間隔で配置される複数の支持部７１と、ベースユニット７０内の支持部７１・７１を相互に連結する可撓性の連結部７２と、外周の支持部７１の外側に設けられ、ベースユニット７０と別のベースユニット７０を連結すると同時にベースユニット７０の支持部７１と別のベースユニット７０の支持部７１とを連結する可撓性の連結部７３と、連結部７３の先端に設けられ、ベースユニット７０の連結部７３と別のベースユニット７０の連結部７３とを結合可能な結合部とを有し、本例では４個×３個の１２個の支持部７１で１つのベースユニット７０が構成されている。ベースユニット７０の支持部７１上或いは連結された複数のベースユニット７０の支持部７１上には、平面視略方形の床パネル８０が載置されて二重床が形成され、支持部７１相互間及び床パネル８０の下方に配線路空間が形成される。形成された二重床の床パネル８０の下が第１の空間、その上が第２の空間に相当する。
【００４３】
支持部７１は、図６に示すように、平面視略八角形の支持面７１１と、支持面７１１の角辺或いは周辺を側方で支持する側面７１２とから構成される底面開放の中空形状である。八角形の支持面７１１の隣接せずに対向する合計４辺には、後述する床パネル８０の垂下片８４を係合可能な溝７１３が形成されており、前記４辺以外の辺近傍に後述する床パネル８０の位置決め凸部８３を没入可能な孔部７１４が形成されている。また、支持面７１１には、支持面７１１の他の部分よりも薄肉になるように、且つ溝７１３を結合するようにして、平面視十字形のＶ字溝である切欠溝７１５が形成されており、必要に応じて切欠溝７１５で支持部７１１を分割、切除し、支持面７１１を分割した支持部７１を壁面に接して敷設することが可能である。また、支持面７１１上には、支持面７１１と平面視略同一形状の緩衝材７１６が貼設されている。
【００４４】
連結部７２は、帯状で可撓性がある部材であり、各支持部７１の下端部近傍を相互に連結し、斜め方向（支持面７１１の内、溝７１３が存在しない辺が対向する方向）に存在する支持部７１・７１相互を連結している。外周の支持部７１の外方に突出している連結部７３も、帯状で可撓性がある部材であり、その端部には結合部が設けられている。結合部は、被連係部７３１と連係部７３２とで構成され、被連係部７３１は、支持部７１の縦横配列領域の隣り合う二辺から外方に突出する連結部７３の端部に形成され、連係部７３２は、他の隣り合う二辺から突出する連結部７３の端部に形成されており、一のベースユニット７０の連係部７３２を別のベースユニット７０の被連係部７３１に係合することにより、一のベースユニット７０と別のベースユニット７０を結合可能である。尚、本例の被連係部７３１は中空で下面が開放している平面視略円形の小凸部であり、連係部７３２は中空で下面が前記小凸部の外形より僅かに大きく開放し、前記小凸部を覆うことが可能な大凸部であり、前記大凸部を前記小凸部で覆うように係合してベースユニット７０相互が結合可能である。
【００４５】
床パネル８０は、平面視略方形であり、本体８１の上面に全体としてＸ字形の補強用のリブ８２が形成されていると共に、その四隅に下方に突出する位置決め凸部８３が形成されている。また、四辺には下方へ垂下する垂下片８４が形成されており、前記垂下片は、リブ８２と合わせて床パネル８０の強度向上に寄与すると共に、溝７１３に係合することで各床パネル８０の位置決め機能を発揮する。また、床パネル８０の四辺のうち隣合う２辺には凹部８５が形成され、隣り合う他の床パネル８０の凹部８５と合わせて配線引出口となる開口を形成可能である。更に、設置される複数の床パネル８０の一部には、床パネル８０として配線引出パネル８０ａと、配線引出パネル８０ａと隣り合って配置される閉塞パネル８０ｂとが含まれている。第１の床パネルに相当する配線引出パネル８０ａは、四辺のうちの一辺に配線引出凹部８１ａが形成されており、他の構成は床パネル８０と同様である。第２の床パネルに相当する閉塞パネル８０ｂは、四辺のうちの一辺に閉塞部８１ｂが形成されており、他の構成は床パネル８０と同様である。
【００４６】
第２実施形態の二重床構造の配線引出パネル８０ａ及び閉塞パネル８０ｂの箇所で、大径の配線或いは大量の配線を引き出さない場合又は引き出さない箇所においては、図７（ａ）に示すように、配線引出凹部８１ａと閉塞部８１ｂとが向かい合い且つ閉塞部８１ｂが配線引出凹部８１ａの上に重なるように配置し、配線引出パネル８０ａ及び閉塞パネル８０ｂの位置決め凸部８３を孔部７１４に緩衝材７１６を介して係合し且つ垂下片８４を溝７１３に係合し、配線引出パネル８０ａの配線引出凹部８１ａを閉塞パネル８０ｂの閉塞部８１ｂで被覆して閉塞する。前記閉塞状態では、閉塞部８１ｂで配線引出凹部８１ａを閉塞すると同時に、配線引出凹部８１ａよりも大きい閉塞部８１ｂが、配線引出凹部８１ａの周りの配線引出パネル８０ａの上面に所定量以上の領域で載置されるので、配線引出凹部８１ａにかかる荷重に対して、閉塞部８１ｂを介して配線引出パネル８０ａ及び閉塞パネル８０ｂで支持し、高い強度で確実に支持することができる。
【００４７】
そして、配線路空間から大径の配線を引き出す、又は大量の配線を引き出す場合には、例えば図７（ｂ）に示すように、閉塞パネル８０ｂを時計回りに９０度回転して、閉塞部８１ｂが隣接する別の床パネル８０上に配置されるようにし、配線引出凹部８１ａを開放して配線を引き出す、又は第１実施形態と同様に１８０度回転、或いは２７０度回転して、配線引出凹部８１ａを開放して配線を引き出す。床パネルの位置決めの係合部と被係合部の係合である、位置決め凸部８３の孔部７１４への係合と、垂下片８４の溝７１３の係合は、９０度、１８０度、２７０度の各角度で閉塞パネル８０ｂを配置した場合に行われる。
【００４８】
また、例えば図７（ｃ）に示すように、配線引出パネル８０ａを反時計回りに９０度回転し、配線引出凹部８１ａを開放して配線を引き出す、又は第１実施形態と同様に１８０度回転、或いは２７０度回転して、配線引出凹部８１ａを開放して配線を引き出してもよく、又は、配線引出パネル８０ａと閉塞パネル８０ｂの両方を回転させてもよい。この場合にも、位置決め凸部８３の孔部７１４への係合と、垂下片８４の溝７１３の係合は、９０度、１８０度、２７０度の各角度で配線引出パネル８０ａを配置した場合に行われる。
【００４９】
第２実施形態の二重床構造或いは二重床設備は、第１実施形態と同様の効果を奏すると共に、配線引出凹部８１ａを二重床構造或いは二重床設備のより多くの位置に設定することが可能となり、より多様なレイアウトに適応することができる。
【００５０】
〔実施形態の変形例等〕
本明細書開示の発明には、各発明や各実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものも含まれ、様々な拡張或いは変形が可能である。そして、実施形態に関しては、上記実施形態に限定されず、各実施形態の構成を組み合わせた構成、或いはそれぞれの実施形態の構成を部分的に取り出した構成、或いはそれぞれの実施形態の不要箇所を削除した構成、或いは別の構成を実施形態に追加した構成とするなど適宜である。
【００５１】
例えば本発明は、第１実施形態の配線溝タイプの二重床や、連結部７２、７３で連結される支持部７１で床パネル８０を支持する二重床以外の適宜の二重床に適用可能であり、床パネルと床パネルを支持する支持手段を備える二重床であればよい。図８は他の二重床の例である第３実施形態の二重床構造であり、高さ調整可能な支持脚９０で床パネル１００を支持するものである。図８において、１００ａは配線引出パネル、１０１ａは配線引出凹部、１００ｂは閉塞パネル、１０１ｂは閉塞部である。
【００５２】
また、第１〜第３実施形態等の二重床構造の各部の材質や形状は適宜であり、例えば床パネルは長方形、正方形に限らず、三角形、五角形以上の多角形でもよく、例として第２実施形態の配線引出パネル８０ａ、閉塞パネル８０ｂを含む床パネル８０を六角形にして支持部で支持する構成としてもよい。また、床パネルの位置決めの係合部と被係合部の係合構造は、床パネルの形状等に合わせて所定角度毎に設けることが可能であり、例えば配線引出パネル８０ａ、閉塞パネル８０ｂを含む床パネル８０を六角形にする場合には、６０度回転毎に前記係合構造を設けるようにしてもよい。
また、第１実施形態の二重床構造において、交差部パネル３０に閉塞部を設け、直線部パネル２０に配線引出凹部を設ける構成、或いは交差部パネル３０に配線引出凹部を設け、直線部パネル２０に閉塞部を設ける構成等とすることも可能である。
【００５３】
また、第１実施形態の配線引出パネル５０、閉塞パネル６０の変形例として、位置決め部、補強用のリブ、切倒片等を適宜の部分を設けない構成とすることも可能であり、例えば図９に示す本体５１ａに配線引出凹部５４ａが形成されている配線引出パネル５０ａや、本体６１ａに閉塞部６４ａが固着されている閉塞パネル６０ａとしてもよい。また、第２実施形態の床パネル８０で位置決め凸部や補強用のリブ等の適宜の部分を設けない構成とすることも可能である。また、位置決め部、補強用のリブ、切倒片、位置決め凸部を設ける場合の形状、位置、個数などは適宜である。
【００５４】
また、本発明の第１の床パネル及び第２の床パネルの形状は上記実施形態に限定されずに適宜である。例えば図１１に示すように、配線引出凹部５４ｂを本体５１ｂの辺の中央部に設ける配線引出パネル５０ｂとし、閉塞部６４ｂを円弧状ではなく、方形状にして本体６１ｂに形成する閉塞パネル６０ｂとすると、より加工が容易となる。また、図１２に示すように、連通部を凹状の配線引出部ではなく穴状の配線引出部５４ｃとして本体５１ｃに形成する配線引出パネル５０ｃとし、閉塞部６４ｃを本体６１ｃの１辺の幅よりも狭い幅で形成する閉塞パネル６０ｃとすると、材料費が節約でき、よりコストダウンに繋がる。また、図１３に示すように、配線引出パネル５０ｄの本体５１ｄに形成する配線引出凹部５４ｄを幅広の凹部とし、閉塞パネル６０ｄの本体６１ｄに形成する閉塞部６４ｄを、第１実施形態と同一形状とすると共に、先端に向かって漸次下方となるように所定角度下方に屈曲させる構成としてもよく、敷設面に不陸があった場合にも、閉塞部６４ｄの変形により、閉塞部６４ｄを配線引出パネル５０ｄ或いはその配線引出凹部５４ｄ或いは他のパネル上に載置し、閉塞部６４ｄが浮いた状態となることを防止することが可能となり、閉塞部６４ｄが施工時の障害となったり、歩行時に音鳴りすることなどを防止することができる。また、本発明における閉塞部は別体の板状体とする他に、第２の床パネルに相当する閉塞パネルに一体成形して形成してもよい。
【００５５】
また、図１４に示すように、配線引出パネル８０ｃの本体８１ｃに形成されている配線引出凹部８２ｃの開放形状が、閉塞パネル８０ｄの回転により変形される構成としてもよい。閉塞パネル８０ｄは、平面視略方形の本体８１ｄを有し、その一辺には何も設けられておらず、他の一辺に隣り合う配線引出パネル８０ｃの配線引出凹部８２ｃを全て覆う略半円形の閉塞部８２ｄが形成され、他の一辺に隣り合う配線引出パネル８０ｃの配線引出凹部８２ｃを半分閉塞する略帯状の半閉塞部８３ｄが形成され、他の一辺に隣り合う配線引出パネル８０ｃの配線引出凹部８２ｃの略全体を覆うと共に、縁部に１本の配線を引き出し可能な凹部８５ｄが２つ形成された略帯状の単線型閉塞部８４ｄが形成されている。
【００５６】
図１４（ａ）に示すように、閉塞部８２ｄが配線引出パネル８０ｃ側に位置する場合は、閉塞パネル８０ｄ側に向けられている配線引出凹部８２ｃが完全に閉塞され、図１４（ｂ）に示すように、閉塞パネル８０ｄを９０度回転し、何も存在しない辺が配線引出パネル８０ｃ側に位置する場合は配線引出凹部８２ｃが完全に開口し、大径の配線、大量の配線を引き出すことが可能となり、図１４（ｃ）に示すように、図１４（ｂ）の閉塞パネル８０ｄを更に９０度回転し、単線型閉塞部８４ｄが配線引出パネル８０ｃ側に位置する場合は、単線型閉塞部８４ｄの小径の凹部８５ｄが２つのみ開口するようになり、２つの小径の配線を引き出すことが可能となり、図１４（ｄ）に示すように、図１４（ｃ）の閉塞パネル８０ｄを更に９０度回転し、半閉塞部８３ｄが配線引出パネル８０ｃ側に位置する場合は配線引出凹部８２ｃの半分が隠れ、配線引出凹部８２ｃが全開口の場合よりは少ないが、複数本の配線を引き出すことが可能となり、様々な用途、レイアウトに対応することが可能となる。尚、小径の凹部８５ｄは１つ、３つ以上の複数であっても良く、半閉塞部８３ｄも半分を閉塞する以外の割合で閉塞する構成でもよい。
【００５７】
また、配線引出凹部或いは配線部は、配線引出パネルに対して１つである必要はなく、複数個設ける構成でもよい。例えば１辺に２個以上設ける構成、各辺に１個ずつ設ける、各辺に複数個ずつ設ける、これらの組み合わせなど適宜であり、本構成に対応して閉塞パネルの閉塞部の構成も変更することが可能である。また、本発明には、閉塞パネルと配線引出パネルの組み合わせにより、配線引出凹部或いは配線引出部が閉塞し、又開口する構成であれば含まれる。その他に、閉塞部の基部を閉塞パネル上に溶接で取り付け、閉塞部の基部の縁部分に蝶番を設けて閉塞パネルの本体に取り付け、蝶番より前方の閉塞板を蝶番を中心に回転して、水平面から下方領域で上下動させる構成、或いは閉塞部の基端部を蝶番を介して閉塞パネルの本体に設け、蝶番より前方の閉塞板を蝶番を中心に回転して上下動させて閉塞部の前方が下方に落ち込むような構成としてもよく、より他の隣接するパネル上に確実に載置された状態が維持され、施工時の邪魔などにならない。また閉塞部は平板部材とし、閉塞パネルの本体の閉塞部を有する側の辺に沿うように、閉塞部の下面に、溝状で、他の閉塞部の部分よりも薄肉となる薄肉部を設ける構成としてもよく、前記構成により、より屈曲性が増し、敷設面の不陸に追従させることができると共に、強度低下を防ぐことができる。
【００５８】
また、第１実施形態の配線引出パネル５０及び閉塞パネル６０の変形例として、図１５及び図１６の配線引出パネル５０ｅ、閉塞パネル６０ｅ、或いは図１７及び図１８の配線引出パネル５０ｆ、閉塞パネル６０ｆとしてもよい。配線引出パネル５０ｅ、５０ｆにおいて、５１ｅ、５１ｆは本体、５２ｅ、５２ｆはリブ、５３ｅ、５３ｆは位置決め部、５４ｅ、５４ｆは配線引出凹部であり、閉塞パネル６０ｅ、６０ｆにおいて、６１ｅ、６１ｆは本体、６２ｅ、６２ｆはリブ、６３ｅ、６３ｆは位置決め部、６４ｅ、６４ｆは閉塞部であり、閉塞部６４ｅ、６４ｆは、先端に向かって漸次下方になるように所定角度下方に屈曲させている。
【００５９】
また、全ての実施形態において、必要に応じて、閉塞部の下面に緩衝材を貼設する等適宜であり、歩行感の向上や、音鳴り防止効果を向上することができる。
【産業上の利用可能性】
【００６０】
本発明は、例えばオフィスに設置する二重床構造等として利用することができる。
【図面の簡単な説明】
【００６１】
【図１】（ａ）は第１実施形態の二重床構造の平面説明図、（ｂ）は同図（ａ）の二重床構造の側面説明図、（ｃ）は同図（ａ）の二重床構造のベースマットの平面図。
【図２】（ａ）は第１実施形態の二重床構造における配線引出パネルの平面図、（ｂ）はその左側面図、（ｃ）はその右側面図、（ｄ）はその背面図、（ｅ）はその正面図、（ｆ）はその底面図。
【図３】（ａ）は第１実施形態の二重床構造における閉塞パネルの平面図、（ｂ）はその左側面図、（ｃ）はその右側面図、（ｄ）はその背面図、（ｅ）はその正面図、（ｆ）はその底面図。
【図４】（ａ）は第１実施形態の閉塞状態における配線引出パネルと閉塞パネルとの配置関係を示す図、（ｂ）〜（ｄ）は第１実施形態の開放状態における配線引出パネルと閉塞パネルとの配置関係の例を示す図。
【図５】（ａ）は第１実施形態の配線引出パネルの配線引出凹部を閉塞パネルの閉塞部で閉塞した状態の平面図、（ｂ）はその正面図。
【図６】（ａ）は第２実施形態の二重床構造の平面説明図、（ｂ）は同図（ａ）の二重床構造の側面説明図。
【図７】（ａ）は第２実施形態の閉塞状態における配線引出パネルと閉塞パネルとの配置関係を示す図、（ｂ）及び（ｃ）は第２実施形態の開放状態における配線引出パネルと閉塞パネルとの配置関係の例を示す図。
【図８】（ａ）は第３実施形態の二重床構造の平面説明図、（ｂ）は同図（ａ）の二重床構造の側面説明図。
【図９】（ａ）は第１変形例の配線引出パネルの平面図、（ｂ）はその左側面図、（ｃ）はその右側面図、（ｄ）はその背面図、（ｅ）はその正面図、（ｆ）はその底面図。
【図１０】（ａ）は第１変形例の閉塞パネルの平面図、（ｂ）はその左側面図、（ｃ）はその右側面図、（ｄ）はその背面図、（ｅ）はその正面図、（ｆ）はその底面図。
【図１１】（ａ）は第２変形例の閉塞パネルの平面図、（ｂ）はその正面図、（ｃ）は第２変形例の配線引出パネルの平面図、（ｄ）はその正面図。
【図１２】（ａ）は第３変形例の閉塞パネルの平面図、（ｂ）はその正面図、（ｃ）は第３変形例の配線引出パネルの平面図、（ｄ）はその正面図。
【図１３】（ａ）は第４変形例の閉塞パネルの平面図、（ｂ）はその正面図、（ｃ）は第４変形例の配線引出パネルの平面図、（ｄ）はその正面図。
【図１４】（ａ）は第４実施形態の二重床構造における閉塞状態の配線引出パネルと閉塞パネルとの配置関係を示す図、（ｂ）はその開放状態における配線引出パネルと閉塞パネルとの配置関係の例を示す図、（ｃ）はその単線開放状態における配線引出パネルと閉塞パネルとの配置関係の例を示す図、（ｄ）はその半開放状態における配線引出パネルと閉塞パネルとの配置関係の例を示す図。
【図１５】（ａ）は第５変形例の配線引出パネルの平面図、（ｂ）はその左側面図、（ｃ）はその右側面図、（ｄ）はその背面図、（ｅ）はその正面図、（ｆ）はその底面図。
【図１６】（ａ）は第５変形例の閉塞パネルの平面図、（ｂ）はその左側面図、（ｃ）はその右側面図、（ｄ）はその背面図、（ｅ）はその正面図、（ｆ）はその底面図。
【図１７】（ａ）は第６変形例の配線引出パネルの平面図、（ｂ）はその左側面図、（ｃ）はその右側面図、（ｄ）はその背面図、（ｅ）はその正面図、（ｆ）はその底面図。
【図１８】（ａ）は第６変形例の閉塞パネルの平面図、（ｂ）はその左側面図、（ｃ）はその右側面図、（ｄ）はその背面図、（ｅ）はその正面図、（ｆ）はその底面図。
【符号の説明】
【００６２】
１０…ベースマット  １１…大ブロック部  １２…中ブロック部  １３…小ブロック部  １４…連結部  １５…配線溝  １６…段差部  １７…凹部  １８…凸部  ２０…直線部パネル  ２１…長辺  ２２…短辺  ２３…配線引出凹部  ２４…リブ  ２５…位置決め部  ３０…交差部パネル  ３１…切欠  ３２…位置決め部  ３３…リブ  ４０…半直線部パネル  ４１…リブ  ４２…位置決め部  ５０、５０ａ、５０ｂ、５０ｃ、５０ｄ、５０ｅ、５０ｆ…配線引出パネル  ５１、５１ａ、５１ｂ、５１ｃ、５１ｄ、５１ｅ、５１ｆ…本体  ５２、５２ｅ、５２ｆ…リブ  ５３、５３ｅ、５３ｆ…位置決め部  ５４、５４ａ、５４ｂ、５４ｄ、５４ｅ、５４ｆ…配線引出凹部  ５４ｃ…配線引出部  ６０、６０ａ、６０ｂ、６０ｃ、６０ｄ、６０ｅ、６０ｆ…閉塞パネル  ６１、６１ａ、６１ｂ、６１ｃ、６１ｄ、６１ｅ、６１ｆ…本体  ６２、６２ｅ、６２ｆ…リブ  ６３、６３ｅ、６３ｆ…位置決め部  ６４、６４ａ、６４ｂ、６４ｃ、６４ｄ、６４ｅ、６４ｆ…閉塞部  ６４１…切倒片７０…ベースユニット  ７１…支持部  ７１１…支持面  ７１２…側面  ７１３…溝  ７１４…貫通孔  ７１５…切欠溝  ７１６…緩衝材  ７２、７３…連結部  ７３１…被連係部  ７３２…連係部  ８０…床パネル  ８０ａ、８０ｃ…配線引出パネル  ８０ｂ、８０ｄ…閉塞パネル  ８１、８１ｃ、８１ｄ…本体  ８２…リブ  ８３…位置決め凸部  ８４…垂下片  ８５…凹部  ８１ａ、８２ｃ…配線引出凹部  ８１ｂ、８２ｄ…閉塞部  ８３ｄ…半閉塞部  ８４ｄ…単線型閉塞部  ８５ｄ…凹部  ９０…支持脚  １００…床パネル  １００ａ…配線引出パネル  １０１ａ…配線引出凹部  １００ｂ…閉塞パネル  １０１ｂ…閉塞部
【図１】
2010024784.tif 000003
【図２】
2010024784.tif 000004
【図３】
2010024784.tif 000005
【図４】
2010024784.tif 000006
【図５】
2010024784.tif 000007
【図６】
2010024784.tif 000008
【図７】
2010024784.tif 000009
【図８】
2010024784.tif 000010
【図９】
2010024784.tif 000011
【図１０】
2010024784.tif 000012
【図１１】
2010024784.tif 000013
【図１２】
2010024784.tif 000014
【図１３】
2010024784.tif 000015
【図１４】
2010024784.tif 000016
【図１５】
2010024784.tif 000017
【図１６】
2010024784.tif 000018
【図１７】
2010024784.tif 000019
【図１８】
2010024784.tif 000020